(57)【要約】【課題】十分な強度を有し、着色のばらつきが非常に少ない上に、例えば外側からランプシェードを介してランプ発光部を見た際にランプ発光部が浮き上がっているかの如く見えて、デザイン的な斬新さやデザイン的な興趣性を付与することのできるランプシェードを提供する。【解決手段】この考案に係るランプシェード１は、透明ガラスからなるシェード本体２と、前記シェード本体２の内面に積層された透光性の着色ベースコート層３と、前記着色ベースコート層３の内面に積層された透光性の金属蒸着層４と、前記金属蒸着層４の内面に積層された透光性の保護樹脂層５と、を備えることを特徴とする。【選択図】図２
0003124894.tif 000002
【実用新案登録請求の範囲】
【請求項１】
透明ガラスからなるシェード本体と、
前記シェード本体の内面に積層された透光性の着色ベースコート層と、
前記着色ベースコート層の内面に積層された透光性の金属蒸着層と、
前記金属蒸着層の内面に積層された透光性の保護樹脂層と、を備えることを特徴とするランプシェード。
【請求項２】
前記金属蒸着層がアルミニウム蒸着層である請求項１に記載のランプシェード。
【請求項３】
前記金属蒸着層の厚さが１〜１０μｍである請求項１または２に記載のランプシェード。
【請求項４】
前記着色ベースコート層は、有機系顔料及び樹脂を含有してなる樹脂組成物の焼付け塗膜からなる請求項１〜３のいずれか１項に記載のランプシェード。
【請求項５】
請求項１〜４のいずれか１項に記載のランプシェードを備えた照明装置。
【考案の詳細な説明】
【技術分野】
【０００１】
この考案は、例えば、照明用ランプ、装飾用ランプ等の各種照明装置に用いられるランプシェードに関する。
【背景技術】
【０００２】
照明用ランプ、装飾用ランプ等の各種ランプのカバー（ランプシェード）として着色ガラス製のカバーが公知である。このような着色ガラスとしては、例えば、ガラスに対し、着色剤としてＦｅ2Ｏ3及びＭｎＯ2を添加してなる着色ガラスが知られている（特許文献１参照）。
【特許文献１】特開平１１−１７１５８４号公報
【考案の開示】
【考案が解決しようとする課題】
【０００３】
しかしながら、上記着色ガラス製のランプシェードは、ガラス中に着色剤（Ｆｅ2Ｏ3及びＭｎＯ2）を含有しているので、十分な強度が得られ難いという問題があった。また、色のばらつきが出やすい上に、自由な色出しが困難であった。更に、上記着色ガラスは生産性が低いという問題もあった。
【０００４】
また、上記着色ガラス製のランプシェードを用いて構成された照明用ランプ、装飾用ランプ等の各種ランプでは、ランプシェードを介してランプの発光コイル部を見ると発光コイル部のコイルの形状が認識できないくらいに単に明るく輝いて見えるものであり、ランプシェードを介して発光部を見た状態は特にデザイン的な斬新さや興趣性があるものではなかった。
【０００５】
この考案は、かかる技術的背景に鑑みてなされたものであって、十分な強度を有し、着色のばらつきが非常に少ない上に、例えば外側からランプシェードを介してランプ発光部を見た際にランプ発光部が浮き上がっているかの如く見えて、デザイン的な斬新さやデザイン的な興趣性を付与することのできるランプシェードを提供することを目的とする。
【課題を解決するための手段】
【０００６】
前記目的を達成するために、本考案は以下の手段を提供する。
【０００７】
［１］透明ガラスからなるシェード本体と、
前記シェード本体の内面に積層された透光性の着色ベースコート層と、
前記着色ベースコート層の内面に積層された透光性の金属蒸着層と、
前記金属蒸着層の内面に積層された透光性の保護樹脂層と、を備えることを特徴とするランプシェード。
【０００８】
［２］前記金属蒸着層がアルミニウム蒸着層である前項１に記載のランプシェード。
【０００９】
［３］前記金属蒸着層の厚さが１〜１０μｍである前項１または２に記載のランプシェード。
【００１０】
［４］前記着色ベースコート層は、有機系顔料及び樹脂を含有してなる樹脂組成物の焼付け塗膜からなる前項１〜３のいずれか１項に記載のランプシェード。
【００１１】
［５］前項１〜４のいずれか１項に記載のランプシェードを備えた照明装置。
【考案の効果】
【００１２】
［１］の考案では、シェード本体を構成するガラスは着色剤を含有せしめていないので、十分な強度が得られる。また、ガラス自体に着色剤を含有せしめるのではなく、ガラスからなるシェード本体の内面に透光性の着色ベースコート層を積層することによって、ランプシェードに色を付与せしめているので、着色のばらつきが非常に少ないものとなる。また、着色ベースコート層の内面に透光性の金属蒸着層が積層されているので、光透過率が小さく抑制され得て、ランプ発光部からの光の殆どは金属蒸着層によって内方に反射される一方、一部の光はランプシェードを透過して外方に抜けるのであるが、この時、ランプシェードを介して外からランプ発光部を見た際にランプ発光部の例えばコイル形状がくっきりと浮き上がっているかの如く弱いながらも光って見えるものとなり、照明装置にデザイン的な斬新さやデザイン的な興趣性を付与することができて、これまでにない独特の雰囲気を醸し出すことができる。
【００１３】
［２］の考案では、金属蒸着層がアルミニウム蒸着層であるから、ランプシェードに十分な金属光沢が付与される。
【００１４】
［３］の考案では、金属蒸着層の厚さが１〜１０μｍであるので、ランプシェードを介して外からランプ発光部を見た際にランプ発光部の例えばコイル形状がくっきりと浮き上がっているかの如く弱いながらも光って見える状態を十分に現出させることができて、デザイン的な斬新さやデザイン的な興趣性をさらに向上させることができる。
【００１５】
［４］の考案では、着色ベースコート層は、有機系顔料及び樹脂を含有してなる樹脂組成物の焼付け塗膜からなるので、該着色ベースコート層は、ガラスからなるシェード本体に対して十分な密着性を有したものとなる。
【００１６】
［５］の考案（照明装置）では、ランプシェードは、十分な強度を有し、かつ着色のばらつきが非常に少ない。更に、ランプシェードを介して外からランプ発光部を見た際にランプ発光部の例えばコイル形状がくっきりと浮き上がっているかの如く弱いながらも光って見えるものとなって、これにより照明装置の特に点灯時においてデザイン的な斬新さやデザイン的な興趣性を付与することができ、これまでにない独特の雰囲気を醸し出すことができる。
【考案を実施するための最良の形態】
【００１７】
この考案に係るランプシェード（１）の一実施形態を図１に示す。このランプシェード（１）は、シェード本体（２）の内面に内面層（６）が積層されたものからなる。即ち、このランプシェード（１）は、図２に示すように、着色剤を含有しない透明ガラスからなるシェード本体（２）と、該シェード本体（２）の内周面に積層された透光性の着色ベースコート層（３）と、該着色ベースコート層（３）の内周面に積層された透光性の金属蒸着層（４）と、該金属蒸着層（４）の内周面に積層された透光性の保護樹脂層（５）とを備えてなる。本実施形態では、前記シェード本体（２）は、軸線方向の一端側に向けて漸次縮径する略筒状に形成されている。また、前記シェード本体（２）の内周面に内方に突出する突条部が螺旋状に形成されている（図２参照）。
【００１８】
上記構成のランプシェード（１）では、シェード本体（２）を構成するガラスは着色剤を含有しないので、十分な強度を確保することができる。また、ガラス自体に着色剤を含有せしめるのではなく、ガラスからなるシェード本体（２）の内面に透光性の着色ベースコート層（３）を積層することによって、ランプシェード（１）に色を付与せしめているので、着色のばらつきが非常に少ない。また、着色ベースコート層（３）の内面に透光性の金属蒸着層（４）が積層されているので、光透過率が小さく抑制され得て、ランプ発光部からの光の殆どは金属蒸着層（４）によって内方に反射される一方、一部の光はシェード（１）を透過して外方に抜けるのであるが、この時、ランプシェード（１）を介して外からランプ発光部を見た際にランプ発光部の例えばコイル形状がくっきりと浮き上がっているかの如く弱いながらも光って見えるものとなって（例えると太陽を濃色の樹脂フィルムを介して透かして見たような状態に近い）、照明装置の特に点灯時においてデザイン的な斬新さやデザイン的な興趣性を付与することができて、これまでにない独特の雰囲気を醸し出すことができる。
【００１９】
この考案において、前記シェード本体（２）の形状としては、照明用の開口部（ランプ発光部からの光を外に放射するための開口部）を有する形状であれば特に限定されず、例えば略筒状、略半球状（略ドーム状）等が挙げられる。
【００２０】
前記透光性着色ベースコート層（３）としては、特に限定されるものではないが、例えば着色剤及び樹脂を含有してなる樹脂組成物の塗膜層等が挙げられる。中でも、前記透光性着色ベースコート層（３）は、有機系顔料及び樹脂を含有してなる樹脂組成物の焼付け塗膜からなるのが好ましく、この場合には着色ベースコート層（３）のシェード本体（２）に対する密着力を向上させることができて、着色ベースコート層（３）の経時的な剥離現象を確実に防止できる利点がある。この着色ベースコート層（３）は、例えば、有機系顔料及び樹脂を含有してなる塗料を前記シェード本体（２）に対して塗布して乾燥させた後、焼付け処理を行うことによって形成される。
【００２１】
前記透光性の金属蒸着層（４）を構成する金属としては、特に限定されるものではないが、例えばアルミニウム、クロム等が挙げられる。中でも、前記透光性の金属蒸着層（４）はアルミニウム蒸着層であるのが好ましい。
【００２２】
前記金属蒸着層（４）の厚さは１〜１０μｍであるのが好ましい。このような厚さ範囲に設定することにより、外からランプシェード（１）を介してランプ発光部を見た際にランプ発光部の例えばコイル形状がくっきりと浮き上がっているかの如く弱いながらも光って見える状態を十分に現出させることができる。中でも、前記金属蒸着層（４）の厚さは３〜５μｍであるのがより好ましい。
【００２３】
前記透光性の保護樹脂層（５）を構成する樹脂としては、特に限定されるものではないが、例えばアクリル系樹脂等が挙げられる。この保護樹脂層（５）は、例えば、アクリル系樹脂及び溶剤を含有してなる塗料を前記金属蒸着層（４）に対して塗布して乾燥させることによって形成される。
【００２４】
なお、この考案の効果を阻害しない範囲であれば、前記シェード本体（２）の外面、前記シェード本体（２）と前記着色ベースコート層（３）の間、前記着色ベースコート層（３）と前記金属蒸着層（４）の間、前記金属蒸着層（４）と前記保護樹脂層（５）の間、前記保護樹脂層（５）の内面のうちの少なくとも１箇所に、他の１ないし複数層が積層された構成を採用しても良い。
【００２５】
この考案のランプシェード（１）を用いて構成された照明装置（１０）の一例を図３に示す。この照明装置（１０）は、スタンド灯として用いられるものであり、台座部（１１）と、該台座部（１１）から上方に向けて立設された支柱部（１２）と、該支柱部（１２）に取り付けられたランプ発光部（１４）と、前記支柱部（１２）の上端部に固定されたシェード支持部（１３）と、該シェード支持部（１３）に支承固定されたランプシェード（１）とを備えている。前記シェード支持部（１３）は、図３に示すように、上面の中央位置に雌ねじ孔（図示しない）が穿設された下側挟着板（１３ａ）と、下面の中央位置から下方に向けて雄ねじ（２０）が突設された上側挟着板（１３ｂ）とを備えてなり、両挟着板（１３ａ）（１３ｂ）間に前記ランプシェード（１）の底板部を挟み込んだ状態で前記上側挟着板（１３ｂ）を回転させて雄ねじ（２０）を前記下側挟着板（１３ａ）の雌ねじ孔に螺合して締め付けることによって、前記ランプシェード（１）は前記シェード支持部（１３）により安定状態に支承固定される。
【００２６】
図３に示す照明装置（１０）では、本考案のランプシェード（１）を用いているから、ランプシェードは、十分な強度を有し、かつ着色のばらつきが非常に少ない。また、ランプシェード（１）において着色ベースコート層（３）の内面に透光性の金属蒸着層（４）が積層されているので、光透過率が小さく抑制され得て、ランプ発光部（１４）からの光の殆どは金属蒸着層（４）によって内方に反射されて略下方に向けて照射される一方、一部の光は金属蒸着層（４）を透過して即ちランプシェード（１）を透過して外方に抜け出るのであるが、この時、ランプシェード（１）を介して外からランプ発光部（１４）を見た際に例えばランプ発光部（１４）のコイル形状がくっきりと浮き上がっているかの如く弱いながらも光って見えるものとなり、照明装置（１０）の特に点灯時においてデザイン的な斬新さやデザイン的な興趣性を付与することができて、これまでにない独特の雰囲気を醸し出すことができる。
【００２７】
次に、この考案のランプシェード（１）を用いて構成された照明装置（１０）の他の例を図４に示す。この照明装置（１０）は、天井吊り下げ灯として用いられるものであり、天井（２０）の下面に取付固定された取付基部（２１）と、該取付基部（２１）の下面中央部から吊り下げられた吊り下げ紐体（２２）と、該吊り下げ紐体（２２）の下端部に連結されたシェード支持部（２３）と、該シェード支持部（２３）の下端部に取り付けられたランプ発光部（２４）と、前記シェード支持部（２３）に固定されたランプシェード（１）とを備えている。なお、（２５）は配線コードである。
【００２８】
図４に示す照明装置（１０）では、本考案のランプシェード（１）を用いているから、ランプシェードは、十分な強度を有し、かつ着色のばらつきが非常に少ない。また、ランプシェード（１）において着色ベースコート層（３）の内面に透光性の金属蒸着層（４）が積層されているので、光透過率が小さく抑制され得て、ランプ発光部（２４）からの光の殆どは金属蒸着層（４）によって内方に反射されて略下方に向けて照射される一方、一部の光は金属蒸着層（４）を透過して即ちランプシェード（１）を透過して外方に抜け出るのであるが、この時、ランプシェード（１）を介して外からランプ発光部（２４）を見た際に例えばランプ発光部（２４）のコイル形状がくっきりと浮き上がっているかの如く弱いながらも光って見えるものとなり、照明装置（１０）の特に点灯時においてデザイン的な斬新さやデザイン的な興趣性を付与することができて、これまでにない独特の雰囲気を醸し出すことができる。
【００２９】
この考案に係るランプシェード（１）の用途は、上記例示したスタンド灯、天井吊り下げ灯に特に限定されるものではなく、これら以外にも、照明用ランプ、装飾用ランプ等の各種照明装置に用いられる。
【図面の簡単な説明】
【００３０】
【図１】この考案に係るランプシェードの一実施形態を示す斜視図である。
【図２】図１のランプシェードの縦断面図である。
【図３】この考案のランプシェードを用いて構成された照明装置の一例を示す側面図である（ランプシェードの一部を切り欠いて示す）。
【図４】この考案のランプシェードを用いて構成された照明装置の他の例を示す側面図である（ランプシェードの一部を切り欠いて示す）。
【符号の説明】
【００３１】
１…ランプシェード
２…シェード本体
３…着色ベースコート層
４…金属蒸着層
５…保護樹脂層
１０…照明装置
【図１】
0003124894.tif 000003
【図２】
0003124894.tif 000004
【図３】
0003124894.tif 000005
【図４】
0003124894.tif 000006